(57)【要約】【課題】広告内容を視認者に十分に記憶させて、広告目的を適切に果たすことを可能とする発光広告装置を提供する。【解決手段】発光広告装置１０は、広告に関する文字または図形が表された広告部２と、電源７と、広告部２に設けられ、電源７からの電力を用いて発光する発光手段６と、外部から操作されることにより発光手段６の発光を指示する操作部３と、操作部３の指示に基づいて発光手段６を発光させる発光制御手段９と、を具備する。【選択図】図１
2010049066.tif 000002
【特許請求の範囲】
【請求項１】
広告に関する文字または図形が表された広告部と、
電源と、
前記広告部に設けられ、前記電源からの電力を用いて発光する発光手段と、
外部から操作されることにより前記発光手段の発光を指示する操作部と、
前記操作部の指示に基づいて前記発光手段を発光させる発光制御手段と、
を具備する発光広告装置。
【請求項２】
前記操作部は、操作を指示する文字または図形が付され、若しくは機器の操作部材を表す形状に形成されている請求項１に記載の発光広告装置。
【請求項３】
前記広告部を表面に、粘着剤層を裏面に有するシート状または板状の貼付部材を備え、
前記広告部は、立体形状に形成されており、当該立体形状の内部に前記電源と前記発光手段と前記発光制御手段とが配置されている請求項１又は２に記載の発光広告装置。
【請求項４】
前記広告部は、前記貼付部材と真空成形により一体化されている請求項３に記載の発光広告装置。
【請求項５】
前記操作部は、複数設けられており、
前記発光手段は、一の前記操作部の指示に基づく発光状態と、他の前記操作部の指示に基づく発光状態とが異なるように構成されている請求項１〜４のいずれかに記載の発光広告装置。
【請求項６】
前記電源は、小型電池で取り替え自在に構成されている請求項１〜５のいずれかに記載の発光広告装置。
【請求項７】
旅客車両、旅客機、又は旅客船の客室内壁あるいはドア内壁に貼り付けて利用可能に構成されている請求項１〜６のいずれかに記載の発光広告装置。
【発明の詳細な説明】
【技術分野】
【０００１】
本発明は、POP（point-of-purchase advertising）広告等、発光広告装置に関する。
【背景技術】
【０００２】
従来、商品やサービス等を広告するために、広告に関する文字または図形が表された広告部材が用いられている。
【０００３】
例えば、特許文献１には、商品購買意欲を促進させる広告体に取り付けられ、乾電池の電力により長周期間隔で複数回点滅する発光手段を有する販売促進用表示装置が開示されている。また、特許文献２には、太陽電池からの電流によって発光ダイオードを発光させるPOP広告用発光装置が開示されている。
【０００４】
【特許文献１】実登３０５９９１７号公報
【特許文献２】特開平９−１０１７５４号公報
【発明の開示】
【発明が解決しようとする課題】
【０００５】
ところで、広告部材（広告体）は、その存在が視認者に認識されなければ視認されないため、その存在が視認者に認識されることが最も重要な課題（第一の課題）であり、その次に、広告目的に鑑みて広告内容が視認者に記憶されることが重要な課題（第二の課題）である。特許文献１および２に係る装置は、発光するものであるから、第一の課題について有効なものである。
【０００６】
しかしながら、特許文献１および２に係る装置は、一方的に発光されるものであるから、第一の課題を解決できても、第二の課題の解決は十分ではない、すなわち、視認者への印象付けが弱く、広告内容を視認者に記憶させることが十分とはいえず、広告目的を適切に果たせるものではない。
【０００７】
本発明の目的は、広告内容を視認者に十分に記憶させて、広告目的を適切に果たすことを可能とする発光広告装置を提供することである。
【課題を解決するための手段及び効果】
【０００８】
上記目的を達成するため、本発明の一構成に係る発光広告装置は、広告に関する文字または図形が表された広告部と、電源と、前記広告部に設けられ、前記電源からの電力を用いて発光する発光手段と、外部から操作されることにより前記発光手段の発光を指示する操作部と、前記操作部の指示に基づいて前記発光手段を発光させる発光制御手段と、を具備する構成である。
【０００９】
このような構成によれば、操作部が設けられていることにより、操作部を操作する動機が生まれ、操作部が操作されると発光手段が発光するため、視認者に広告部を能動的に視認させることができるから、従来において広告部を受動的に視認させる場合に比べて、視認者に対する広告部の印象付けに有効である。
【００１０】
視認者が受動的に物事を視認する場合に比べ、視認者が能動的に行動して物事を視認する場合の方が、視認される内容が視認者の記憶に残るからである。
【００１１】
視認者に対する広告部の印象付けのためには、前記操作部は、操作を指示する文字または図形が付され、若しくは機器の操作部材を表す形状に形成されている構成が望ましい。
【００１２】
視認者に対する広告部の印象付けのため、かつ、設置容易な発光広告装置とするためには、前記広告部を表面に、粘着剤層を裏面に有するシート状または板状の貼付部材を備え、前記広告部は、立体形状に形成されており、当該立体形状の内部に前記電源と前記発光手段と前記発光制御手段が配置されている構成が有効である。
【００１３】
視認者に接触されることに対する耐久力を高めるためには、前記広告部は、前記貼付部材と真空成形により一体化されている構成が有効である。
【００１４】
視認者に対する広告部の印象付けのためには、前記操作部は、複数設けられており、前記発光手段は、一の前記操作部の指示に基づく発光状態と、他の前記操作部の指示に基づく発光状態とが異なるように構成されているのが好適である。
【００１５】
メンテナンス性を有効に向上させるためには、前記電源は小型電池で取り替え自在に構成されているのが有効である。
【００１６】
本発明の発光広告装置は、以上のような構成であるから、旅客車両、旅客機、又は旅客船の客室内壁あるいはドア内壁に貼り付けて用いられることにより、視認者から近距離に長時間存在するから、発光広告装置の存在を認識させ易くすると共に、視認者が操作部を操作し易い発光広告装置としての利用が可能となる。
【発明を実施するための最良の形態】
【００１７】
本発明に係る発光広告装置の一実施形態を図を参照して説明する。図１は、発光広告装置１０の外観およびその動作を示す斜視図である。図２は、図１のＡ矢印位置における断面図である。
【００１８】
（発光広告装置１０の機械的構成）
まず、発光広告装置１０の機械的構成について図１及び図２を用いて説明する。発光広告装置１０は、貼付部材１と、広告部２と、操作部３と、発光手段６と、電源７と、発光制御手段９とを有している。
【００１９】
貼付部材１は、シート状、板状で水平方向に長く形成されている。貼付部材１の裏面には、粘着剤層１ａ及び剥離部材８が裏面全体を覆うように順に設けられている。粘着剤層１ａは、粘着性を有し、貼付部材１の裏面全体を薄く覆っている。剥離部材８は、粘着剤層１ａの裏面全体を薄く覆っており、粘着剤層１ａと完全かつ容易に剥離可能であり、剥離時にはすべての粘着剤層１ａを貼付部材１側に残留させる。
【００２０】
広告部２は、広告に関する文字または図形が表されたものであり、広告対象であるパチスロ筐体の外観に模して立体形状に成形され、内部２ｓが中空に成形されている。広告部２は、その裏側を貼付部材１の表面中央部に接触させて、貼付部材１に設けられている。広告部２のパチスロ筐体のランプ部分２ａは、広告部２の内部２ｓから外部に向けて透光可能に構成されており、そのランプ部分２ａの奥にはＬＥＤ等の発光手段６ａが配置されている。また、広告部２のパチスロ筐体の液晶部分２ｂは、広告部２の内部２ｓから外部に向けて透光可能に構成されており、その液晶部分２ｂの奥には発光手段６ｂが配置されている。また、広告部２のパチスロ筐体のパネル部分２ｃは、広告部２の内部２ｓから外部に向けて透光可能に構成されており、そのパネル部分２ｃの奥には発光手段６ｃが配置されている。
【００２１】
また、図２に示すように、ＬＥＤ等の発光手段６（６ａ・６ｂ・６ｃ）、小型電池で取り替え自在なボタン型電池である電源７、および、後述する発光制御手段９は、広告部２の内部空間２ｓに配置されている。
【００２２】
操作部３は、外部からの接触を検出するタッチセンサであり、外部から操作させることによって発光手段６の発光を指示するものである。操作部３は、操作部３ａ（３）と操作部３ｂ（３）と、少なくとも二つ設けられており、操作部３ａは、貼付部材１の表面視、広告部２右側の貼付部材１の表面に設けられている。操作部３ａの表面には、「ＰＵＳＨ」からなる押圧指示文字４が表されており、操作部３ａの上方には、操作部３ａの方向を向いた矢印図形４が描かれており、矢印図形４のさらに上方には「押してね」からなる押圧指示文字４が表されている。これら押圧指示文字４および押圧指示文字４は、いずれも操作部３ａの操作を指示するものである。
【００２３】
操作部３ｂは、広告部２のパチスロ筐体のスタートボタン部分の奥に配置されており、このスタートボタン部分を指Ｆで押圧すると操作部３ｂに接触し、それを操作部３ｂが検出する。このスタートボタン部分は、パチスロ筐体（機器）の操作部材に相当し、外部に向かって突出する操作部材を表すように成形されている。
【００２４】
広告部２は、ブリスターパック真空成形により貼付部材１に一体化されている。ブリスターパック真空成形は、貼付部材１の上に広告部２を載置するステップと、載置された広告部２の上に透明なシート状の樹脂である透明部材５を配置するステップと、透明部材５を加熱して軟化させて透明部材５を貼付部材１及び広告部２に押圧するステップと、内部の空気を抜いて真空状態にして、貼付部材１と広告部２とを一体化するステップとを含む成形方法である。
【００２５】
（発光広告装置１０の電気的構成）
次に、発光広告装置１０の電気的構成について図３を用いて説明する。発光広告装置１０は、操作部３（３ａ・３ｂ）としての二つのタッチセンサと、発光制御手段９と、電源７と、発光回路１５と、発光回路１５に接続され、発光手段６（６ａ・６ｂ・６ｃ）である三つのＬＥＤとを有している。
【００２６】
発光制御手段９は、外部のアクチュエータとの信号を中継するＩ／Ｏ１１と、Ｉ／Ｏ１１に接続され、発光を制御するＣＰＵ１２と、ＣＰＵ１２に接続され、プログラムやデータを一時的に記憶するＲＡＭ１３と、ＣＰＵ１２に接続され、後述する発光制御ルーチンを記憶するＲＯＭ１４とを有している。ＣＰＵ１２が発光制御ルーチンを実行することにより、これらは発光制御手段９として機能する。
【００２７】
操作部３（３ａ・３ｂ）である二つのタッチセンサは、Ｉ／Ｏ１１に接続されている。発光回路１５は、Ｉ／Ｏ１１及び電源７に接続され、発光制御手段９の指令に基づいて、発光手段６（６ａ・６ｂ・６ｃ）である三つのＬＥＤに電源７の電流を供給することによって、発光手段６を発光させる。
【００２８】
（発光広告装置１０の動作）
次に、発光広告装置１０の動作について図４を用いて説明する。発光広告装置１０は、電源７から電力が供給されることにより、ＣＰＵ１２は、発光制御ルーチンをＲＯＭ１４から読み出して実行する。
【００２９】
図４に示すように、発光制御ルーチンが実行されると、まずＣＰＵ１２は、操作部３ａが接触（操作）を検出しているか否かを判定する（Ａ１）。接触が検出していると判定された場合には（Ａ１：ＹＥＳ）、ＣＰＵ１２は、発光回路１５に発光手段６ａの点滅を開始させ（Ａ２）、発光手段６ｂを発光させる（Ａ３）。次に、ＣＰＵ１２は、操作部３ａが接触（操作）を検出していないか否かを判定する（Ａ４）。操作部３ａが接触を検出している間は、ＣＰＵ１２は、発光手段６ａの点滅および発光手段６ｂの発光を発光回路１５に継続させる（Ａ４：ＮＯ）。一方、操作部３ａが接触を検出していないと判定されると（Ａ４：ＹＥＳ）、ＣＰＵ１２は、発光回路１５に発光手段６ａ・６ｂ双方の発光を停止させ（Ａ５、Ａ６）、Ａ１の処理の実行に戻る。
【００３０】
一方、Ａ１の処理において、操作部３ａが接触を検出していないと判定された場合には（Ａ１：ＮＯ）、ＣＰＵ１２は、操作部３ｂが接触（操作）を検出しているか否かを判定する（Ａ７）。操作部３ｂが接触を検出していないと判定された場合には（Ａ７：ＮＯ）、ＣＰＵ１２は、Ａ１の処理の実行に戻る。一方、操作部３ｂが接触を検出していると判定された場合には（Ａ７：ＹＥＳ）、ＣＰＵ１２は、発光回路１５に発光手段６ａを点滅ではなく点灯させ（Ａ８）、発光手段６ｂを発光させる（Ａ９）。次に、ＣＰＵ１２は、操作部３ｂが接触（操作）を検出していないか否かを判定する（Ａ１０）。操作部３ｂが接触を検出している間は、ＣＰＵ１２は、発光手段６ａの点滅および発光手段６ｂの発光を発光回路１５に継続させる（Ａ１０：ＮＯ）。一方、操作部３ｂが接触を検出していないと判定されると（Ａ１０：ＹＥＳ）、ＣＰＵ１２は、発光回路１５に発光手段６ａ・６ｂ双方の発光を停止させ（Ａ１１、Ａ１２）、Ａ１の処理の実行に戻る。
【００３１】
（本実施形態の概要）
以上のように、本発明の一構成に係る発光広告装置１０は、広告に関する文字または図形が表された広告部２と、電源７と、広告部２に設けられ、電源７からの電力を用いて発光する発光手段６（発光手段６ａ・６ｂ・６ｃ）と、外部から操作されることにより発光手段６の発光を指示する操作部３（３ａ・３ｂ）と、操作部３の指示に基づいて発光手段６を発光させる発光制御手段９と、を具備する構成である。
【００３２】
このような構成によれば、操作部３が設けられていることにより、操作部３を操作する動機が生まれ、操作部３が操作されると発光手段６が発光するため、視認者に広告部２を能動的に視認させることができるから、従来において広告部２を受動的に視認させる場合に比べて、視認者に対する広告部２の印象付けに有効である。
【００３３】
視認者が受動的に物事を視認する場合に比べ、視認者が能動的に行動して物事を視認する場合の方が、視認される内容が視認者の記憶に残るからである。
【００３４】
また、操作部３は、操作を指示する文字（押圧指示文字４等）または図形（押圧指示文字４等）が付され、若しくは機器の操作部材（スタートボタン部分）を表す形状に形成されているから、操作部３の操作を視認者に促すため、操作部３を操作する動機がより有効に生まれ、視認者に対する広告部２の印象づけに好適である。
【００３５】
特に、広告部２を表面に、粘着剤層１ａを裏面に有するシート状または板状の貼付部材１を備え、広告部２は、立体形状に形成されており、立体形状の内部２ｓに電源７と発光手段６と発光制御手段９が配置されているから、電源７と発光手段６と発光制御手段９とを立体形状の内部２ｓに配置して、外観を損なわないようにすることができると共に、広告部２を立体形状に形成したことにより広告部２の注目度を高めることができ、視認者に対する広告部２の印象付けに好適である。
【００３６】
さらに、貼付部材１によって立壁に貼り付けてこれを設置できるから、設置容易な発光広告装置とすることができる。
【００３７】
特に、広告部２は、貼付部材１と真空成形により一体化されているから、広告部２と貼付部材１との接合部分に架かる応力は、平面形状の広告部に比べて立体形状の広告部２の方が大きくなるが、立体形状の広告部２は貼付部材１と真空成形により一体化されているため、発光広告装置１０の耐久力を高めることができ、視認者に接触される本発明に好適である。
【００３８】
また、操作部３は、複数設けられており、発光手段６は、一の操作部３の指示に基づく発光状態と、他の操作部３の指示に基づく発光状態とが異なるように構成されているから、各操作部３の指示に基づいてそれぞれ異なる発光状態になるから、視認者に対する広告部２の印象付けに有効である。
【００３９】
また、電源７は小型電池で取り替え自在に構成されているから、メンテナンス性を有効に向上させることができる。
【００４０】
本発明の発光広告装置１０は、以上のような構成であるから、旅客車両、旅客機、又は旅客船の客室内壁あるいはドア内壁に貼り付けて用いられることにより、視認者から近距離に長時間存在するから、発光広告装置１０の存在を認識させ易くすると共に、視認者が操作部３を操作し易い発光広告装置１０としての利用が可能となる。
【００４１】
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００４２】
【図１】本発明の一構成に係る発光広告装置１０の外観および動作を示す斜視図。
【図２】図１のＡ矢印位置における断面図。
【図３】発光広告装置１０の電気的構成を示すブロック図。
【図４】発光制御手段９が実行する発光制御ルーチンを示すフローチャート。
【符号の説明】
【００４３】
１‥‥‥貼付部材
１ａ‥‥粘着剤層
２‥‥‥広告部
３‥‥‥操作部（タッチセンサ）
４‥‥‥押圧指示文字・矢印図形
５‥‥‥透明部材
６‥‥‥発光手段
７‥‥‥電源
８‥‥‥剥離部材
９‥‥‥発光制御手段
１０‥‥発光広告装置
【図１】
2010049066.tif 000003
【図２】
2010049066.tif 000004
【図３】
2010049066.tif 000005
【図４】
2010049066.tif 000006